(57)【要約】【課題】  コンクリート打設箇所を自動的にシートで覆い、雨水を所望のように処理して、工期の長期化を防止することができる自動シート敷設台車を提供することを目的とする。【解決手段】  自動シート敷設台車１は、複数のシートロール２０を搭載するとともに、スリップフォーム３の上端部に連結され、スリップフォーム３の上下動に従って上下動し、下降する際に、シートロール２０の軸心２１がシート２２上に残るように、コンクリートを打設すべき面を覆い、コンクリートを打設すべき面に沿って、上昇するときに、コンクリートを打設すべき面を覆っているシート２２を、シート２２上に残されたシートロールの軸心２１に巻き取るように構成されている。【選択図】      図１
2014152542.tif 000002
【特許請求の範囲】
【請求項１】
それぞれが、軸心に長尺状シートが巻回された複数のシートロールを搭載可能で、連結装置を介して、スリップフォームの上端部に連結された自動シート敷設台車であって、
前記スリップフォームが、コンクリートを打設すべき面に沿って上下方向に移動され、前記自動シート敷設台車が前記スリップフォームとともに、コンクリートを打設すべき面に沿って、上下方向に移動可能であり、
前記自動シート敷設台車が下降しつつ、前記シートロールから前記長尺状シートを、前記コンクリートを打設すべき面に供給して、前記シートロールの軸心が前記長尺状シート上に残るように、前記コンクリートを打設すべき面を覆い、
コンクリートを打設すべき面に沿って、前記自動シート敷設台車が上昇しつつ、前記コンクリートを打設すべき面を覆っている前記シートを、前記長尺状シート上に残された前記シートロールの軸心に巻き取るように構成された自動シート敷設台車。
【請求項２】
前記自動シート敷設台車の前記スリップフォーム側に、前記スリップフォームとともに上下方向に移動可能で、コンクリートを打設すべき面にコンクリートを供給するコンクリート打設ユニットが設けられていることを特徴とする請求項１に記載の自動シート敷設台車。
【請求項３】
前記スリップフォームが、前記スリップフォームの上方に位置するウィンチを搭載した前記法面の幅方向に移動可能なスリップフォーム移動装置から吊り下げられていることを特徴とする請求項１または２に記載の自動シート敷設台車。
【発明の詳細な説明】
【技術分野】
【０００１】
本発明は、コンクリートフェーシングダムのフェースコンクリートなどを連続的に打設する際に、コンクリート打設箇所に雨水の流入を防止するために、コンクリート打設箇所を自動的にシートで覆うことができる自動シート敷設台車に関するものである。
【背景技術】
【０００２】
ダムのような巨大建造物の施工は、露天でおこなわれ、しかも、完成までに長時間を要し、雨天時にコンクリート打設すると、コンクリートの品質が低下するため、雨天時にはコンクリートの打設ができず、工期が天候に大きく左右されるという問題があった。
【０００３】
雨によるコンクリートの品質低下は、打設したコンクリートをシートで覆うことによって防止することが可能になるが、打設したコンクリートをシートで覆っている間は工事ができず、工期の長期化を防止することができないし、打設したコンクリートをシートで覆い、工事の再開にあたって、シートを取り去る作業は人力に頼らざるを得ないという問題があった。
【０００４】
また、コンクリートフェーシングダムのコンクリートを打設すべき部分は３０度程度の傾斜があるだけでなく、全面に鉄筋が組み立てられているため、人力によって、コンクリートを打設すべき法面をシートで覆い、取り去る場合には、滑落などの危険があるという問題もあった。
【０００５】
とくに、コンクリートフェーシングダムのコンクリートを打設する箇所は、アスファルト乳剤によって被覆されているため、表面を雨水が流れて、下方のコンクリート打設箇所に流入し、雨水が溜まり、雨がやんでも、溜まった雨水を排水するまで、フェースコンクリートを打設できず、工期の長期化を防止できないという問題があった。
【０００６】
特開平８−３２６０３８号公報（特許文献１）は、施工領域を複数のマトリックス状領域に分割し、マトリックスの交点に支柱を立て、互いに隣り合う少なくとも２つの支柱を利用して、平面矩形の水平盤からなる屋根を設けることによって、雨天時においても施工および養生などの通常の作業を行うことができるダムの全天候施工方法を提案している。
【先行技術文献】
【特許文献】
【０００７】
【特許文献１】特開平８−３２６０３８号公報
【発明の概要】
【発明が解決しようとする課題】
【０００８】
しかしながら、特開平８−３２６０３８号公報（特許文献１）に開示された全天候施工方法においては、屋根を備えたクレーン装置を用いて、マトリックス状領域を屋根で覆い、屋根を移動させるように構成されており、大掛かりな装置を用いる必要があるという問題を有している。
【０００９】
したがって、本発明は、コンクリートフェーシングダムのフェースコンクリートなどを連続的に打設する際に、雨天が予想される時に、コンクリート打設箇所を自動的にシートで覆い、雨水を所望のように処理して、工期の長期化を防止することができる自動シート敷設台車を提供することを目的とするものである。
【課題を解決するための手段】
【００１０】
本発明のかかる目的は、それぞれが、軸心に長尺状シートが巻回された複数のシートロールを搭載可能で、連結装置を介して、スリップフォームの上端部に連結された自動シート敷設台車であって、
前記スリップフォームが、コンクリートを打設すべき面に沿って上下方向に移動され、前記自動シート敷設台車が前記スリップフォームとともに、コンクリートを打設すべき面に沿って、上下方向に移動可能であり、
前記自動シート敷設台車が下降しつつ、前記シートロールから前記長尺状シートを、前記コンクリートを打設すべき面に供給して、前記シートロールの軸心が前記長尺状シート上に残るように、前記コンクリートを打設すべき面を覆い、
コンクリートを打設すべき面に沿って、前記自動シート敷設台車が上昇しつつ、前記コンクリートを打設すべき面を覆っている前記シートを、前記長尺状シート上に残された前記シートロールの軸心に巻き取るように構成された自動シート敷設台車によって達成される。
【００１１】
本発明によれば、スリップフォームとともに、自動シート敷設台車をコンクリートを打設すべき面上を下降させることによって、シートロールから引き出した長尺状シートによって、コンクリートを打設すべき面を自動的に覆うことができ、したがって、アスファルト乳剤によって被覆されているために、雨水がその表面を流れ、コンクリートを打設すべき箇所へ流入し、雨水が溜まり、雨がやんでも、溜まった雨水を排水するまで、フェースコンクリートを打設できず、工期の長期化を防止できないという問題を効果的に防止することができ、一方、長尺状シート上に残されたシートロールの軸心まわりにシートを巻き取りつつ、自動シート敷設台車を上昇させることによって、コンクリートを打設すべき面を覆っている長尺状シートをシートロールの軸心に自動的に巻き取って、コンクリートを打設すべき面から取り去ることができるから、大掛かりな装置を用いる必要も、また、人力で長尺状シートを取り去る必要もなく、従来に比し、簡易な装置で、効率的に、コンクリートを打設すべき面を長尺状シートで覆い、長尺状シートで覆われたコンクリートを打設すべき面から長尺状シートをシートロールの軸心に自動的に巻き取ることが可能になる。
【００１２】
本発明の好ましい実施態様においては、前記自動シート敷設台車の前記スリップフォーム側に、前記スリップフォームとともに上下方向に移動可能で、コンクリートを打設すべき面にコンクリートを供給するコンクリート打設ユニットが設けられている。
【００１３】
本発明の好ましい実施態様によれば、自動シート敷設台車によるコンクリートを打設すべき面を覆っていたシートを巻き取りながら、コンクリート打設ユニットによって、コンクリートを打設すべき面に、コンクリートを供給することができる。
【００１４】
本発明の好ましい実施態様においては、コンクリートを打設すべき面を覆っている前記長尺状シートの側面端部が、金具およびフックの一方によって、型枠に固定されている。
【００１５】
本発明の好ましい実施態様によれば、コンクリートを打設すべき面を覆っているシートが強い風圧にも耐えることができる。
【００１６】
本発明の好ましい実施態様においては、前記長尺状シート表面に降った雨水を型枠外に排出する排水設備を備えている。
【００１７】
本発明の好ましい実施態様によれば、雨水がコンクリートを打設すべき面上に流入することを確実に防止することができ、降雨時および雨がやんだ後に、コンクリートを打設すべき面上に流れ込んだ雨水を排水する必要がなくなるから、工期の長期化を確実に防止することが可能になる。
【００１８】
本発明のさらに好ましい実施態様においては、前記排水設備が雨水を導く集水器と、前記集水器に接続された排水ホースを備えている。
【００１９】
本発明のさらに実施態様においては、一端部がウィンチに設けられた巻き取りドラムに固定されるとともに、前記巻き取りドラムに巻回されたワイヤーが、前記ウィンチに設けられたシーブおよび前記スリップフォームに設けられた水平シーブに巻回され、その他端部が前記ウィンチに固定されている。
【００２０】
本発明の好ましい実施態様によれば、きわめて簡単な構造で、所望の速度で、自動シート敷設台車を上下動することが可能になる。
【００２１】
本発明の他の好ましい実施態様においては、前記自動シート敷設台車が、その上端部に連結された前記スリップフォームが、前記コンクリートを打設すべき法面に沿って、前記スリップフォームの上方に位置するウィンチを搭載した前記法面の幅方向に移動可能なスリップフォーム移動装置から吊り下げられている。
【発明の効果】
【００２２】
本発明によれば、コンクリートフェーシングダムのフェースコンクリートなどを連続的に打設する際に、雨天が予想される時に、コンクリート打設箇所を自動的に布で覆い、雨水を所望のように処理して、工期の長期化を防止することができる自動シート敷設台車を提供することが可能になる。
【図面の簡単な説明】
【００２３】
【図１】図１は、本発明の好ましい実施態様にかかる自動シート敷設台車を含むコンクリート打設システムの略右側面図である。
【図２】図２は、自動シート敷設台車近傍の略右側面図である。
【図３】図３は、スリップフォームを移動可能なスリップフォーム移動装置９の略右側面図である。
【図４】図４は、シートロールに巻回されたシートの先端部の近傍を示す略斜視図である。
【図５】図５は、最初のシートロールから供給されたシートと、次のシートロールから供給されたシートとが、所定長さにわたって、重なり合った状態におけるシートの側部近傍の略斜視図である。
【図６】図６は、シート上に残された最初のシートロールの軸心の一端部近傍の略斜視図である。
【図７】図７は図６のＡ−Ａ線に沿った略断面図である。
【発明を実施するための形態】
【００２４】
図１は、本発明の好ましい実施態様にかかる自動シート敷設台車を含むコンクリート打設装置の略右側面図であり、図２は自動シート敷設台車近傍の略右側面図である。
【００２５】
図１および図２に示されるように、本発明の好ましい実施態様にかかる自動シート敷設台車１を含むコンクリート打設装置は、自動シート敷設台車１と、一対のレール２、２と、スリップフォーム３と、自動シート敷設台車１をスリップフォーム３の上端部に連結する鋼製バーなどの連結装置４と、コンクリートフェーシングダムの法面にコンクリートを打設するコンクリート打設ユニット５を備えている。
【００２６】
図１および図２には図示されてはいないが、一対のレール２、２は、フェースコンクリートの型枠の横に設置する架台の上に、上下方向に沿って、互いに平行に敷設され、スリップフォーム３は、一対のレール２、２に、その両端部の位置が一対のレール２、２に対応するように横架され、一対のレール２、２上を上下方向に走行するように構成されている。スリップフォーム３は車輪３ａを備え、車輪３ａが一対のレール２、２上を回転して、移動するように構成されている。
【００２７】
図示されてはいないが、コンクリート打設ユニット５の幅は、スリップフォーム３の幅より大きく、図１に示されるように、スリップフォーム３の前側の法肩側に取り付けられ、公知のようにして、搬送されたコンクリートを法面に打設するように構成されている。
【００２８】
自動シート敷設台車１は、コンクリートを打設すべき面上にシート２２を供給して、コンクリートを打設すべき面上の鉄筋（図１および図２には図示せず）を覆うもので、コンクリート型枠の幅よりもわずかに大きな幅を有している。自動シート敷設台車１には移動のための動力機構は設けられておらず、斜面を上方に向けて、移動する際には、スリップフォーム３に押されて、レール２、２上を上昇し、斜面を下方に向けて、移動する際には、スリップフォーム３によって、レール２、２上を自由落下するのを防止されつつ、それぞれ、所望の速度で移動可能に構成されている。
【００２９】
図１および図２において、参照番号８で示されているのは、排水ホースである。排水ホース８については後に詳述する。
【００３０】
図３は、スリップフォーム３を法面に沿って、略水平方向に移動可能なスリップフォーム移動装置９の略右側面図であり、自動シート敷設台車１およびコンクリート打設ユニット５が取り外された状態を示している。
【００３１】
図１および図３に示されるように、スリップフォーム移動装置９は、一端部がウィンチ１０の巻き取りドラム１１に固定されるとともに、巻き取りドラム１１に巻回されたワイヤー６を備えている。図３に示されるように、ワイヤー６は、ウィンチ１０に設けられたシーブ１２およびスリップフォーム３に設けられた水平シーブ１３に巻回され、ワイヤー６の他端部はウィンチ１０に固定されている。
【００３２】
したがって、ウィンチ１０の巻き取りドラム１１からワイヤー６を引き出すことによって、スリップフォーム３が一対のレール２、２上を下方に移動され、ウィンチ１０の巻き取りドラム１１を回転させて、ワイヤー６を巻き取ることによって、法肩に向けて、スリップフォーム３が上方に移動されるように構成されている。
【００３３】
ここに、ウィンチ１０、巻き取りドラム１１およびシーブ１２を搭載したスリップフォーム移動装置９は、ダムの堤体の頂部４０上に設置されたレール４１、４１に沿って、略水平方向に移動可能に構成されている。
【００３４】
自動シート敷設台車１には、たとえば、３０ｍの長さの長尺状のシートを巻回した複数のシートロール２０が搭載され、敷設作業がおこなわれていないときは、図１および図２に示されるように、待機位置１４に位置している。
【００３５】
図４は、シートロール２０に巻回されたシート２２の先端部の近傍を示す略斜視図である。
【００３６】
図４に示されるように、各シートロール２０は、シート２２の一方の端部２２ａが軸心２１の係合部２１ａに係合され、シート２２が軸心２１まわりに巻回されて生成されている。
【００３７】
図２に示されるように、自動シート敷設台車１は、両側に張り出したステージ部分を備え、ステージ部分には、シートロール２０を待機位置１４からシート供給位置１５に移動させて、シートロール２０からシート２２を引き出し、引き出したシート２２をシートロール２０の軸心２１まわりに巻き取り可能なシート軸回転用モータ３１を搭載し、移動可能なシート交換台車３２が設けられている。シート交換台車３２は、ステージ部分の下部に位置する交換台車移動用モータ３３によって、ステージ部分上をシートロール２０の軸心２１が並ぶ方向に移動できるように構成されている。
【００３８】
シート交換台車３２に搭載されるシート軸回転用モータ３１の回転力は、モータ回転軸からその回転力を伝達させる回転シャフト（図示せず）を介して、シートロール２０の軸心２１に伝達される。回転シャフトとシートロール２０の軸心２１とは、カム機構によって結合され、それぞれのカムを結合させて、回転させることによって、回転シャフトからシートロール２０の軸心２１に回転力が伝達されるように構成されている。
【００３９】
法面に最も近いシートロール２０を待機位置１４からシート供給位置１５に移動させるときは、たとえば、シート交換台車３２を移動させて、回転シャフトとシートロール２０の軸心２１が同心になるように位置させ、回転シャフト側のカムをリンク機構の手押しレバー３４をシートロール２０側に倒して合致させるなどの方法を用いることができる。
【００４０】
図２に示されるように、自動シート敷設台車１は、スリップフォーム３によって、法面上を下降される際に、シート供給位置１５に位置したシートロール２０からシート２２に回転力を与えながら、皺にならないように引き出して、コンクリートを打設すべき面上を覆い、スリップフォーム３によって、法面上を上昇される際に、コンクリートを打設すべき面上を覆っていたシート２２を軸心２１に巻き取るように構成されている。
【００４１】
以上のように構成された本発明の好ましい実施態様にかかる自動シート敷設台車１を含むコンクリート打設装置は、雨天時あるいは雨が予想されている場合に、以下のようにして、フェースコンクリートを打設すべき面上をシート２２によって覆うように構成されている。
【００４２】
まず、自動シート敷設台車１に設けられた交換台車移動用モータ３３が駆動されて、シート交換台車３２によって、シート２２が巻回されているシートロール２０が待機位置１４からシート供給位置１５に移動される。
【００４３】
次いで、図示しない駆動手段によって、ウィンチ１０の巻き取りドラム１１に巻回されているワイヤー６が解かれて、スリップフォーム３が法面上を下降する。同時に、自動シート敷設台車１およびコンクリート打設ユニット５も、スリップフォーム３とともに、法面上を下降する。この際、雨が降っている場合やすぐに雨が降りそうな場合には、図１に示されるように、スリップフォーム３、コンクリート打設ユニット５および自動シート敷設台車１がカバーシート３０によって覆われている。
【００４４】
こうして、コンクリートを打設すべき面上のシート２２で覆うべき始点位置に、自動シート敷設台車１が達すると、図示しない駆動手段によって、ウィンチ１０の巻き取りドラム１１の回転が停止されて、スリップフォーム３の下降が停止され、スリップフォーム３の停止にともなって、自動シート敷設台車１およびコンクリート打設ユニット５の移動も停止される。
【００４５】
次いで、シート軸回転用モータ３１が駆動されて、シート軸回転用モータ３１の回転力が、モータ回転軸からその回転力を伝達させる回転シャフト（図示せず）を介して、シートロール２０の軸心２１に伝達される。その結果、シート供給位置１５に位置しているシートロール２０のシート２２が解かれて、シートロール２０の先端部がコンクリートを打設すべき面に配置された鉄筋（図示せず）の上方に送り出されて、所定の始点位置に固定される。
【００４６】
シート２２の先端部が、コンクリートを打設すべき面上の所定の始点位置に固定されると、図示しない駆動手段によって、ウィンチ１０の巻き取りドラム１１に巻回されているワイヤー６が解かれて、スリップフォーム３が下降され、それにともなって、自動シート敷設台車１およびコンクリート打設装置５も下降する。
【００４７】
スリップフォーム３の下降とともに、自動シート敷設台車１が下降し、シート２２がシートロール２０から引き出されて、コンクリートを打設すべき面上に送り出され、コンクリートを打設すべき面に配置された鉄筋の上方がシート２２によって覆われる。
【００４８】
こうして、シート２２がシートロール２０から引き出されて、コンクリートを打設すべき面に配置された鉄筋の上方がシート２２によって覆われていった結果、最初のシートロール２０に巻回されているシート２２が全部引き出されると、自動シート敷設台車１に設けられた交換台車移動用モータ３３が駆動されて、シート交換台車３２によって、次のシートロール２０が待機位置１４からシート供給位置１５に移動される。
【００４９】
次のシートロール２０がシート供給位置１５に達すると、シート軸回転用モータ３１が駆動されて、シート軸回転用モータ３１の回転力が、モータ回転軸からその回転力を伝達させる回転シャフト（図示せず）を介して、シートロール２０の軸心２１に伝達される。その結果、シート供給位置１５に位置している次のシートロール２０のシート２２が解かれて、最初のシートロール２０から供給されたシート２２と、所定長さにわたって、重なり合った状態になるまで、シート２２が送り出される。前のシートロール２０から引き出されたシート２２と次のシートロール２０から引き出されたシート２２とは、たとえば、マジックテープ（登録商標）などを用いて、所定長さにわたって重ね合わされた状態に保持される。
【００５０】
このように、前のシートロール２０から引き出されたシート２２と次のシートロール２０から引き出されたシート２２とが、所定長さにわたって重ね合わされた状態で、次のシート２２がコンクリートを打設すべき面を覆うように構成されているから、シート２２の敷設後に、強い雨が降っても、シート２２の間から、雨水がコンクリートを打設すべき面に流入することを効果的に防止することが可能になる。
【００５１】
図５は、最初のシートロール２０から解かれて、コンクリートを打設すべき面に配置された鉄筋２５の上方を覆ってきたシート２２の上に、次のシートロール２０から解かれたシート２２が供給され、最初のシートロール２０から供給されたシート２２と、所定長さにわたって、重なり合った状態におけるシート２２の側部近傍の略斜視図である。
【００５２】
図５に示されるように、最初のシートロール２０から引き出されたシート２２と次のシートロール２０から引き出されたシート２２が所定長さにわたって、重なり合った状態で、コンクリートを打設すべき面に配置された鉄筋２５の上方が覆われているので、雨が降っても、雨水がコンクリートを打設すべき箇所に浸入することを防止することができる。
【００５３】
また、図５に示されるように、シート２２の側部は、風圧などに耐えられるように、固定金具２６によって、型枠２７に固定されている。固定金具２６によるシート２２の固定は人力によっておこなわれる。
【００５４】
図５に示されるように、最初のシートロール２０の軸心２１はコンクリートを打設すべき面に配置された鉄筋２５の上方に位置するシート２２上に残されるように構成されている。
【００５５】
このように、自動シート敷設台車１を上方から下方に向けて移動させ、コンクリートフェーシングダムの法面上に配置された鉄筋２５の上方をシート２２によって覆い、最初のシートロール２０の軸心２１をコンクリートを打設すべき面に配置された鉄筋２５の上方に位置するシート２２上に残すように構成されているので、雨天時には、雨水がシート２２上を下方に流れて、最初のシートロール２０の軸心２１の上側のシート２２上に水溜り２８が形成される。
【００５６】
図６は、シート２２上に残された最初のシートロール２０の軸心２１の一端部近傍の略斜視図であり、図７は、図６のＡ−Ａ線に沿った略断面図である。
【００５７】
図６および図７に示されるように、最初のシートロール２０の軸心２１の上側の、水溜り２８が形成される部分に、型枠２７の側部に接して、鉄筋２５の上に落とし込むように、集水器２９が配置され、集水器２９には、集水器２９内にたまった雨水を型枠２７の外部に排出する排水ホース８が接続されている。ここに、集水器２９は、コンクリートを打設すべき面上を覆うシート２２が巻回されているシートロール２０を切り換える際に設置される。
【００５８】
したがって、最初のシートロール２０の軸心２１の上側のシート２２上に形成された水溜り２８中の水は集水器２９によって集められ、排水ホース８によって排水される。
【００５９】
ここに、集水器２９はシートロール２０の軸心２１によって支持されるように、人力によって配置され、排水ホース８は人力によって集水器２９に接続されている。
【００６０】
次いで、２番目のシートロール２０から引き出されたシート２２によって鉄筋２５の上方を覆われるが、最初のシートロール２０の軸心２１は、２番目のシートロール２０からのシート２２が鉄筋２５の上方に供給されたときに位置していた位置に残され、集水器２９および排水ホース８も、図６で示される位置に残される。
【００６１】
同様にして、２番目のシートロール２０からシート２２が引き出されて、コンクリートを打設すべき面に配置された鉄筋２５の上方を覆っていき、２番目のシートロール２０に巻回されているシート２２が全部引き出されると、自動シート敷設台車１に設けられた交換台車移動用モータ３３が駆動されて、シート交換台車３２によって、次のシートロール２０が待機位置１４からシート供給位置１５に移動される。
【００６２】
次のシートロール２０がシート供給位置１５に達すると、上述したのと同様にして、次のシートロール２０からシート２２が解かれて、コンクリートを打設すべき面に配置された鉄筋２５の上方に供給されて、２番目のシートロール２０から供給されたシート２２と、所定長さにわたって、重なり合った状態で、コンクリートを打設すべき面に配置された鉄筋２５の上方が覆われる。
【００６３】
このとき、雨が降っているときには、雨水がシート２２上を下方に流れて、それまでの間、シート２２が引き出されてきたシートロール２０の軸心２１の上側に水溜り２８が形成されるが、自動シート敷設台車１の上方に取り付けられた集水器２９および集水器２９に接続された排水ホース８によって、水溜り２８に溜まった雨水が排水される。
【００６４】
さらに、３番目のシートロール２０に巻回されているシート２２が全部引き出されると、次のシートロール２０が、交換台車移動用モータ３３によって、シート供給位置１５に移動され、次のシートロール２０からシート２２が解かれて、コンクリートを打設すべき面に配置された鉄筋２５の上方に供給される。
【００６５】
以上の動作が繰り返され、自動シート敷設台車１に搭載されたシートロール２０がすべて使い終わると、あるいは、コンクリートを打設すべき面がすべてシート２２で覆われると、自動シート敷設処理の１サイクルが終了し、スリップフォーム３が停止され、コンクリート打設ユニット５および自動シート敷設台車１も停止される。
【００６６】
ここに、自動シート敷設台車１に搭載された複数のシートロール２０がすべて使い終わっても、法面のコンクリートを打設すべき面が覆われきっていない場合には、自動シート敷設台車１に複数のシートロール２０を搭載して、前述したのと同様にして、シートロール２０からシート２２を法面のコンクリートを打設すべき面に供給し、シート２２によって、法面のコンクリートを打設すべき面が覆われるように構成されている。
【００６７】
一方、コンクリートを打設するときは、以下のようにして、シート２２が回収され、コンクリート打設ユニット５によって、コンクリートが鉄筋２５上に打設される。
【００６８】
まず、図示しない駆動手段によって、ウィンチ１０の巻き取りドラム１１を回転させて、スリップフォーム３と、連結装置４を介して、スリップフォーム３の上方に取り付けられている自動シート敷設台車１を、法面のコンクリートを打設すべき面を覆っているシート２２の下端部にセットし、コンクリートを打設すべき面に配置された鉄筋２５の上方のシート２２上に残されているシートロール２０の軸心２１のうち、最も下方に位置しているシートロール２０の軸心２１の上側に位置している集水器２９と集水器２９に接続されている排水ホース８を人力によって取り除いた上で、シート軸か移転用モータ３１を駆動して、シートロール２０の軸心２１の両端部を自動シート敷設台車１によって把持させる。この際、雨が降っている場合には、スリップフォーム３、コンクリート打設装置５および自動シート敷設台車１がカバーシート３０によって覆われる。
【００６９】
次いで、図示しない駆動手段によって、ウィンチ１０の巻き取りドラム１１が回転されて、ワイヤー６が巻き取られ、法肩に向けて、スリップフォーム３が上方に移動される。スリップフォーム３の上方への移動にともなって、コンクリート打設ユニット５および自動シート敷設台車１も上方へ移動される。
【００７０】
自動シート敷設台車１は、シート軸回転用モータ３１を駆動して、最も下方に位置している軸心２１を把持し、回転させることによって、シート２２を軸心２１まわりに巻き取る。
【００７１】
自動シート敷設台車１は、スリップフォーム３の上方への移動にともなって、シート２２を軸心２１まわりに巻き取りつつ、上方に移動する。
【００７２】
一方、コンクリート打設ユニット５は、自動シート敷設台車１によって、シート２２が取り去られて、露出した鉄筋２５上にコンクリートを搬送して、コンクリートを打設する。
【００７３】
こうして、自動シート敷設台車１が、シート２２を敷設する前に最も下方に位置している軸心２１に巻回されていたシート２２を、最も下方に位置している軸心２１まわりに巻き取り、巻き取りが完了すると、自動シート敷設台車１に設けられた交換台車移動用モータ３３が駆動されて、シート交換台車３２によって、軸心２１が最も下方に位置していたシートロール２０を図１および図２に示されている待機位置１４に移動させ、次いで、下から２番目に位置している軸心２１の上側に位置している集水器２９と集水器２９に接続されている排水ホース８を人力によって取り除いた上で、シート軸回転用モータ３１を駆動させて、下から２番目に位置している軸心２１を把持し、回転させることによって、シート２２を軸心２１まわりに巻き取る。
【００７４】
一方、コンクリート打設ユニット５は、自動シート敷設台車１によって、シート２２が取り去られて、露出した鉄筋２５にコンクリートを搬送して、コンクリートを打設する。
【００７５】
かかる動作が繰り返されて、自動シート敷設台車１によって、コンクリートを打設すべき法面を覆っていたすべてのシート２２が軸心２１に巻き取られ、コンクリート打設ユニット５によって、コンクリートを打設すべき法面にコンクリートが打設されると、コンクリートフェーシングダムのコンクリート打設作業が完了する。
【００７６】
本実施態様によれば、連結装置４を介して、スリップフォーム３に連結され、スリップフォーム３の上方に位置する自動シート敷設台車１に複数のシートロール２０が搭載され、スリップフォーム３とともに、自動シート敷設台車１がコンクリートフェーシングダムのコンクリートを打設すべき法面上を下降する際に、シートロール２０からシート２２が引き出されて、コンクリートが打設されるべき面が覆われるから、シート２２によって、コンクリートが打設されるべき部分に雨水が流入することを防止することができ、コンクリートが打設されるべき部分に溜まった雨水を排水する必要がないから、コンクリート工事の日程を短縮化することが可能になる。
【００７７】
また、本実施態様によれば、コンクリートを打設すべき面の上方がシート２２によって覆われ、雨が降ったときには、雨水によって、シート２２上に残されたシートロール２０の軸心２１の上部に水溜り２８が形成され、水溜り２８中の雨水は、シートロール２０の軸心２１の上側で、シート２２の下に配置された集水器２９に導かれ、集水器２９に接続された排水ホース８によって排水されるから、雨がやんでから、短時間のうちに、コンクリートの打設を開始することが可能になる。
【００７８】
さらに、本実施態様によれば、前のシートロール２０から引き出されたシート２２と次のシートロール２０から引き出されたシート２２とが、所定長さにわたって重ね合わされた状態で、コンクリートを打設すべき面を覆っているから、シート２２の敷設後に強い雨が降っても、雨水がコンクリートを打設すべき面に流入することを効果的に防止することが可能になる。
【００７９】
さらに、本実施態様によれば、コンクリートを打設すべき面の上方に残されたシートロール２０の軸心２１まわりにシート２２を巻き取りつつ、自動シート敷設台車１を上昇させることによって、コンクリートを打設すべき面を覆っているシート２２をシートロール２０の軸心２１に自動的に巻き取って、コンクリートを打設すべき面から取り去ることができるから、大掛かりな装置を用いる必要はなく、また、人力でシート２２を取り去る必要もなく、従来に比し、簡易な装置で、効率的に、コンクリートを打設すべき面をシート２２で覆い、シート２２で覆われたコンクリートを打設すべき面からシート２２をシートロールの軸心２１に自動的に巻き取ることが可能になる。
【００８０】
さらに、従来は、人力によって、コンクリートを打設すべき法面をシート２２で覆っていたが、コンクリートフェーシングダムのコンクリートを打設すべき部分は３０度程度の傾斜があるだけでなく、全面に鉄筋２５が組み立てられているため、滑落などの危険があったが、本実施態様によれば、コンクリートを打設すべき法面の部分が、自動的にシート２２によって覆われるため、作業の危険性を大幅に低下させることが可能になる。
【００８１】
また、本実施態様においても、シート２２を敷設する際には、人力でシート２２を固定金具２６を用いて、型枠２７に取り付け、シート２２を回収するときには、人力で集水器２９と排水ホース８を取り除いているが、いずれも簡易な作業にすぎないから、コンクリートフェーシングダムのコンクリートを打設すべき部分は３０度程度の傾斜があるだけでなく、全面に鉄筋２５が組み立てられているため、滑落などの危険があっっても作業の危険性を低下させることが可能になる。
【００８２】
本発明は、以上の実施態様に限定されることなく、特許請求の範囲に記載された発明の範囲内で種々の変更が可能であり、それらも本発明の範囲内に包含されるものであることはいうまでもない。
【００８３】
たとえば、前記実施態様においては、コンクリートフェーシングダムのフェースコンクリート打設について述べたが、本発明はコンクリートフェーシングダムのフェースコンクリート打設に限定されるものではなく、コンクリートフェーシングダムのコンクリート打設以外のコンクリート打設にも適用することができる。
【００８４】
また、前記実施態様においては、自動シート敷設台車１を上昇させて、コンクリートを打設すべき法面を覆っているシート２２を軸心２１に巻き取りつつ、コンクリート打設ユニット５によって、コンクリートを打設しているが、自動シート敷設台車１を上昇させて、コンクリートを打設すべき法面を覆っているシート２２を軸心２１に巻き取りつつ、コンクリート打設ユニット５によって、コンクリートを打設することは必ずしも必要でなく、自動シート敷設台車１によって、シート２２を巻き取った後に、コンクリート打設ユニット５によって、コンクリートを打設するようにしてもよい。
【００８５】
さらに、前記実施態様においては、一対のレール２、２は型枠２７の脇の架台上に敷設されているが、法面に敷設するようにしてもよい。
【００８６】
また、前記実施態様においては、連結装置４として鋼製バーが用いられているが、鋼製バーによって連結装置４を形成することは必ずしも必要でない。
【００８７】
さらに、前記実施態様においては、固定金具２６により、シート２２の側部を型枠２７に固定しているが、固定金具２６により、シート２２の側部を型枠２７に固定することは必ずしも必要でなく、固定金具２６に代えて、フックを用いて、シート２２の側部を型枠２７に固定するようにしてもよい。
【符号の説明】
【００８８】
１  自動シート敷設台車
２、２  レール
３  スリップフォーム
３ａ  スリップフォームの車輪
４  連結装置
５  コンクリート打設装置
６  ワイヤー
８  排水ホース
９  スリップフォーム移動装置
１０  ウィンチ
１１  巻き取りドラム
１２  シーブ
１３  水平シーブ
１４  シートロール待機位置
１５  シート供給位置
２０  シートロール
２１  シートロールの軸心
２１ａ  軸心の係合部
２２  シート
２２ａ  シートの一方の端部
２５  鉄筋
２６  固定金具
２７  型枠
２８  水溜り
２９  集水器
３０  カバーシート
３１  シート軸回転用モータ
３２  シート交換台車
３３  交換台車移動用モータ
３４  手押しレバー
４０  堤体の頂部
４１  レール
【図１】
2014152542.tif 000003
【図２】
2014152542.tif 000004
【図３】
2014152542.tif 000005
【図４】
2014152542.tif 000006
【図５】
2014152542.tif 000007
【図６】
2014152542.tif 000008
【図７】
2014152542.tif 000009